(57)【要約】【課題】  雄タブが振動した場合でも多数の接触点を確保することにより接触信頼性の向上を図ることのできる雌端子を提供する。【解決手段】  挟持部材２０に設けられている一対の挟持板２１、２２が帯状の雄タブ３０を厚み方向に沿って挟持する際に、挟持板２１、２２の対向する面に設けられている奥側突出部２４ｃ、２４ｄおよび手前側突出部２４ａ、２４ｂが雄タブ３０に接触する。このとき、奥側隙間寸法Ｄｂが手前側隙間寸法Ｄａよりも大きく設定されているので、すべての突出部２４が雄タブ３０に接触して、安定した接触を得ることができる。また、各奥側突出部２４ｃ、２４ｄおよび各手前側突出部２４ａ、２４ｂが互いに対向しない位置に配置されているので、雄タブ３０が振れた状態で挿入されても、少なくとも２点以上の接触点を確保することができ、安定した接触を得ることができる。【選択図】  図１
2005209518.tif 000002
【特許請求の範囲】
【請求項１】
帯状の雄タブを厚み方向に沿って挟持するために、前記雄タブの挿入方向に沿って延びる一対の挟持板が略Ｕ字状に連結された挟持部材と、
前記挟持部材を収容する箱部と、
前記各挟持板から互いに近づく方向に突出するとともに前記各挟持板の長手方向に沿って設けられた奥側突出部および手前側突出部とを備え、
前記各奥側突出部間の奥側隙間寸法が前記各手前側突出部間の手前側隙間寸法よりも大きく設定されている雌端子であって、
前記各奥側突出部および前記各手前側突出部が互いに対向しない位置に配置されていることを特徴とする雌端子。
【請求項２】
前記挟持部材が前記雄タブの移動に追従可能な追従手段が設けられていることを特徴とする請求項１に記載した雌端子。
【発明の詳細な説明】
【技術分野】
【０００１】
本発明は雌端子に係り、例えば帯状の雄タブを挟持することにより導通を行う雌端子に関する。
【背景技術】
【０００２】
従来より、図９に示すような雌端子が知られている（例えば特許文献１参照）。
すなわち、この雌端子１００では、本体部１０１に第１および第２の接触片１０２ａ、１０２ｂが設けられており、この第１および第２の接触片１０２ａ、１０２ｂには、雄タブ１１０の挿入方向の２箇所でそれぞれ一組の凸部１０３ａ、１０３ｂ、１０４ａ、１０４ｂが形成されている。これら、一方の凸部１０３ａ、１０３ｂの頂面間の間隔ａ１と他方の凸部１０４ａ、１０４ｂの頂面間の間隔ｂ１は、ａ１＜ｂ１となるように設定されている。
従って、正常時においては、一方の凸部１０３ａ、１０３ｂと雄タブ１１０とが確実に接触する。一方、振動等に起因して凸部１０３ａ、１０３ｂの頂面部分が消失した場合には、他方の凸部１０４ａ、１０４ｂと雄タブ１１０との接触が確保される。
これにより、長寿命化が図られるとともに、信頼性の向上ができるようになっている。
【特許文献１】特開２００３−３１７８４３号公報（図１）
【発明の開示】
【発明が解決しようとする課題】
【０００３】
ところで、このような雌端子１００では、接触片１０２ａ、１０２ｂに凸部１０３ａ、１０３ｂ、１０４ａ、１０４ｂが形成されているが、通常１点で雄タブ１１０と接触しており、この１点が消失した場合には新たに別の１点で接触するようになっている。
このため、凸部１０３ａ、１０３ｂ、１０４ａ、１０４ｂを中心とした雄タブ１１０のタブ振れが発生しやすく、安定した接触が得られないという不都合がある。また、図９中、ａ１＝ｂ１の場合には、一番奥にある接点のみ接触可能となり、接触片１０２ａ、１０２ｂに複数の凸部１０３ａ、１０３ｂ、１０４ａ、１０４ｂが形成されていても接点として機能しないことになる。
【０００４】
本発明は、前述した問題点に鑑みてなされたものであり、その目的は、雄タブが振動した場合でも多数の接触点を確保することにより接触信頼性の向上を図ることのできる雌端子を提供することにある。
【課題を解決するための手段】
【０００５】
１）前述した目的を達成するために、本発明にかかる雌端子は、帯状の雄タブを厚み方向に沿って挟持するために、前記雄タブの挿入方向に沿って延びる一対の挟持板が略Ｕ字状に連結された挟持部材と、前記挟持部材を収容する箱部と、前記各挟持板から互いに近づく方向に突出するとともに前記各挟持板の長手方向に沿って設けられた奥側突出部および手前側突出部とを備え、前記各奥側突出部間の奥側隙間寸法が前記各手前側突出部間の手前側隙間寸法よりも大きく設定されている雌端子であって、前記各奥側突出部および前記各手前側突出部が互いに対向しない位置に配置されていることを特徴としている。
【０００６】
このように構成された雌端子においては、挟持部材に設けられている一対の挟持板が帯状の雄タブを厚み方向に沿って挟持する際に、挟持板の対向する面に設けられている奥側突出部および手前側突出部が雄タブに接触する。
このとき、奥側隙間寸法が手前側隙間寸法よりも大きく設定されているので、雄タブを完全に挿入した状態ではすべての突出部が雄タブに接触して、安定した接触を得ることができる。また、各奥側突出部および各手前側突出部が互いに対向しない位置に配置されているので、雄タブが振れた状態で挿入されても、少なくとも接触する２点以上の突出部を確保することができ、安定した接触を得ることができる。
【０００７】
２）また、本発明にかかる雌端子は、前記挟持部材が前記雄タブの移動に追従可能な追従手段が設けられていることを特徴としている。
【０００８】
このように構成された雌端子においては、挟持部材が追従手段により揺動可能に設けられているので、雄タブが振動しても振動を吸収し、雄タブと突出部との磨耗を抑制できる。
【発明の効果】
【０００９】
本発明によれば、従来のような接触片に複数の凸部が形成されていても雄タブが触れた場合に凸部が接点として機能しないという問題を解消でき、雄タブが振れた状態で挿入されても、接触する少なくとも２点以上の突出部を確保することができ、安定した接触を得ることができる。
【発明を実施するための最良の形態】
【００１０】
以下、本発明に係る実施形態を図面に基づいて詳細に説明する。図１は本発明の雌端子に係る第１実施形態を示す断面図であり図３中I−Iの断面図、図２は図１中II−II位置の断面図、図３は図１中III−III位置の断面図、図４は図３中IV−IV位置で切断した斜視図、図５は上下の突出部の配置および間隔を示す説明図、図６（Ａ）および（Ｂ）は突出部の配置例を示す説明図、図７（Ａ）〜（Ｄ）は雄タブを挟持する状態を示す説明図である。
【００１１】
図１に示すように、本発明の第１実施形態である雌端子１０Ａは、例えば断面矩形状の箱部１１を有している。この箱部１１の内部には、帯状の雄タブ３０（図６参照）を厚み方向（図１において上下方向）に沿って挟持するためにバネ性を有する挟持部材２０を有しており、この挟持部材２０の奥側（図１中右側）端部付近が支持部２０Ａによって箱部１１に支持されている。
従って、挟持部材２０の手前側（図１において左側）は、Ｙ軸方向に揺動可能となっている。
【００１２】
支持部材２０Ａは、雄タブの移動に追従可能な追従手段でもあり、雄タブ３０の移動に伴う挟持部材２０のＺ軸方向の移動を許容した状態で支持するとともに、挟持部材２０と箱部１１との導通を図っている。
なお、挟持部材２０および箱部１１は、一枚の金属板を切断加工するとともに折り曲げ加工する切起こしにより一体的に製造できるが、各々別個に作成して接続することも可能である。
【００１３】
箱部１１は、天板１１Ｕおよび底板１１Ｂの手前側端部を各々中心側へ折り返して導入部１２ａ、１２ｂが形成されており、この導入部１３ａ、１３ｂの間に雄タブ３０の挿入口である開口１３が設けられている。従って、開口１３の高さは、雄タブ３０の厚さ寸法よりも大き目となっている。
箱部１１の奥側には、電線１４と挟持部材２０とを電気的に接続するカシメ部１５が設けられている。
【００１４】
挟持部材２０は、雄タブ３０の挿入方向（図１中右方向）に沿って延びる一対の挟持板２１、２２を連結部２３で略Ｕ字状に連結して形成されており、各挟持板２１、２２の手前側端部２１ａ、２２ａは各々開口１３の外側に位置するように設けられている。
これにより、容易に雄タブ３０を開口１３から上下の挟持板２１、２２の間に挿入できるようにしている。各挟持板２１、２２には、互いに近づく方向に突出するとともに各挟持板２１、２２の長手方向に沿って複数個の突出部２４が各々設けられている。
【００１５】
突出部２４のうち各挟持板２１、２２の最も手前側に設けられた突出部２４を手前側突出部２４ａ、２４ｂ、また、各挟持板２１、２２の最も奥側に設けられた突出部２４を奥側突出部２４ｃ、２４ｄとすると、図５に示すように、奥側突出部２４ｃ、２４ｄ間の奥側隙間寸法Ｄｂが手前側突出部２４ａ、２４ｂ間の手前側隙間寸法Ｄａよりも大きく設定されている。
なお、手前側隙間寸法Ｄａは雄タブ３０を挟持するために、雄タブ３０の厚さ寸法Ｄよりも小さく設定されている。すなわち、Ｄａ＜Ｄ＜Ｄｂの関係となっている。
【００１６】
なお、上下の挟持板２１、２２の各突出部２４は、互いに対向しない位置に配置されている。
例えば、図６（Ａ）に示すように、各挟持板２１、２２において複数個の突出部２４が等間隔で設けられているが、上の挟持板２１の突出部２４ａと下の挟持板２２の突出部２４ｂとがずれて配置されており、上側の突出部２４と下側の突出部２４とが対向した位置にないようになっている。
あるいは、図６（Ｂ）に示すように、上の挟持板２１の突出部２４をα１ピッチで設け、下の挟持板２２の突出部２４をα２ピッチで設け、上側の突出部２４と下側の突出部２４とが対向した位置にないようにしても良い。
【００１７】
このように構成した雌端子１０Ａに、雄タブ３０を挿入した状態について説明する。
図７（Ａ）に示すように、雄タブ３０を開口１３から雌端子１０Ａに挿入すると、図７（Ｂ）に示すように、雄タブ３０は箱部１１の導入部１２ａ、１２ｂにより挟持部材２０の内部に導入される。
このとき、挟持部材２０では手前側（開口１３側）の手前側隙間寸法Ｄａは雄タブ３０の厚さ寸法Ｄおよび奥側隙間寸法Ｄｂよりも小さくなっているので、雄タブ３０はバネ性のある両挟持板２１、２２を押し拡げながら進入する。
【００１８】
そして、図７（Ｃ）に示すように雄タブ３０の挿入が完了した状態では、すべての突出部２４が雄タブ３０に接触して支持するので、安定して支持できる。この状態で、図７（Ｄ）に示すように雄タブ３０が振れると、振れ量が小さい場合には両挟持板２１、２２のバネ性により雄タブ３０に追従して挟持部材２０も揺動する。また、振れ量がある程度大きくなると、雄タブ３０は挟持板２１、２２に対して傾くが、この状態でも、２点以上（図７（Ｄ）においては３点）の突出部２４が接触している。
【００１９】
以上、前述した雌端子１０Ａによれば、雄タブ３０に接触してこれを保持する突出部２４が、上下の挟持板２１、２２において対向しない位置に配置されているので、雄タブ３０が振れた場合でも、長手方向の３箇所以上で保持されることになる。このため、雄タブ３０との接触を確保して接触信頼性の向上を図ることができる。
また、挟持部材２０は支持部２０Ａにより箱部１１に移動可能に支持されているので、挟持部材２０に保持されている雄タブ３０が振れると追従して移動および揺動する。このため、雄タブ３０が振れても確実に保持することができ、電気的接続を保持できるとともに振動を吸収できる。
【００２０】
次に、図８に第２実施形態にかかる雌端子１０Ｂを示す。なお、前述した第１実施形態にかかる雌端子１０Ａと共通する部位には同じ符号を付して、重複する説明を省略することとする。
前述した実施形態に係る雌端子１０Ａにおいては、支持部２０Ａにより挟持部材２０を箱部１１に対して移動可能に支持し、挿入されている雄タブ３０が振れた場合に、挟持部材２０が雄タブ３０に追従するようにしたが、この雌端子１０Ｂでは、挟持部材２０を箱部１１に対して強固に固定するとともに箱部１１とカシメ部１４との間にＺ軸方向の移動およびＹ軸方向の揺動が可能な例えばジャバラ構造の取付部材１６を設ける。
これにより、箱部１１がカシメ部１４に対して移動および揺動可能に連結されるので、挟持部材２０および箱部１１が一体的に雄タブ３０の振れに追従して移動および揺動することにより、前述した場合と同様に、雄タブ３０との接触を確保できる。
【００２１】
なお、本発明の雌端子は、前述した各実施形態に限定されるものでなく、適宜な変形，改良等が可能である。
すなわち、前述した各実施形態においては、挟持板２１、２２を波板状に形成して、その山や谷を突出部２４としたが、平板状の挟持板２１、２２に突起を設けるようにすることもできる。
【図面の簡単な説明】
【００２２】
【図１】本発明の雌端子に係る第１実施形態を示す断面図である。
【図２】図１中II−II位置の断面図である。
【図３】図１中III−III位置の断面図である。
【図４】図３中IV−IV位置で切断した斜視図である。
【図５】上下の突出部の間隔を示す説明図である。
【図６】（Ａ）および（Ｂ）は突出部の配置例を示す説明図である。
【図７】（Ａ）〜（Ｄ）は、雄タブを雌端子に挿入する際および挿入された雄タブが振れた場合における挟持板と雄タブとの接触状態を示す説明図である。
【図８】第２実施形態に係る雌端子を示す断面図である。
【図９】従来の雌端子を示す断面図である。
【符号の説明】
【００２３】
１０  雌端子
１１  箱部
２０  挟持部材
２０Ａ  支持部（追従手段）
２１、２２  挟持板
２４ａ、２４ｂ  手前側突出部
２４ｃ、２４ｄ  奥側突出部
３０  雄タブ
Ｄｂ  奥側隙間寸法
Ｄａ  手前側隙間寸法
【図１】
2005209518.tif 000003
【図２】
2005209518.tif 000004
【図３】
2005209518.tif 000005
【図４】
2005209518.tif 000006
【図５】
2005209518.tif 000007
【図６】
2005209518.tif 000008
【図７】
2005209518.tif 000009
【図８】
2005209518.tif 000010
【図９】
2005209518.tif 000011